(57)【特許請求の範囲】
【請求項１】
衣服内に配置される内側パーツと、
前記衣服の外側から当該衣服に配置される外側パーツと、
を備え、
前記内側パーツは、前記衣服に配置した際に、前記衣服の襟ぐりから外側に延出する第１の襟側延出部と、当該第１の襟側延出部に接続されると共に、前記衣服の肩に沿って配置される第１の肩部と、を有し、
前記外側パーツは、前記衣服に配置した際に、前記第１の襟側延出部に取付けられる第２の襟側延出部と、当該第２の襟側延出部に接続されると共に、前記衣服の着用者のバスト位置、ウエスト位置、ヒップ位置の少なくとも一つに対応する位置を特定する位置特定部と、を有してなる衣服用採寸具。
【請求項２】
前記外側パーツは、前記第２の襟側延出部に接続されると共に、前記衣服の肩に沿って配置される第２の肩部をさらに有し、前記位置特定部は、前記第２の肩部を介して、前記第２の襟側延出部に接続される請求項１記載の衣服用採寸具。
【請求項３】
前記第２の襟側延出部は、前記第１の襟側延出部に対し相対的に回動可能に取付けられてなる請求項１または請求項２記載の衣服用採寸具。
【請求項４】
前記第２の襟側延出部は、前記第１の襟側延出部に着脱可能に取付けられてなる請求項１ないし請求項３のいずれか一項に記載の衣服用採寸具。
【請求項５】
前記位置特定部は、前記衣服の着用者のバスト位置、ウエスト位置、ヒップ位置の少なくとも一つに対応する位置に、当該衣服の幅方向に延在する指標を有する請求項１ないし請求項４のいずれか一項に記載の衣服用採寸具。
【請求項６】
前記外側パーツは、透過性を有する樹脂板から構成され、前記指標は、当該樹脂板に形成されてなる請求項５記載の衣服用採寸具。
【発明の詳細な説明】
【技術分野】
【０００１】
本発明は、衣服を着用せずに、当該衣服のバスト位置、ウエスト位置、ヒップ位置等の少なくとも一つの位置を正確に知ることが可能な衣服用採寸具に関する。
【背景技術】
【０００２】
従来、既製衣服には、そのサイズを示す記号としてＳ、Ｍ、Ｌ、あるいは、７号、９号、１１号等の記号が付されているが、この符号のみでは、着用者が着用した際に、当該着用者のバスト、ウエスト、ヒップ等に対応する位置を試着することなく正確に知ることが困難である。そこで、例えば、既製衣服の型紙から着用者のバスト、ウエスト、ヒップ等に対応する位置を求め、その位置の幅寸法からバスト、ウエスト、ヒップ等のサイズ（寸法）を求め、より正確な寸法表示をしている衣服もある。
【０００３】
また、既製衣服のウエストの寸法を採寸する用具として、例えば、定規に２つの突起物を設けることにより、計測する始点と終点を明確にすることで、正確な採寸を行えるようにした既製衣料品用計測器が提案されている。（例えば、特許文献１参照）。
【先行技術文献】
【特許文献】
【０００４】
【特許文献１】特開２００１−３１７９０４号公報
【発明の概要】
【発明が解決しようとする課題】
【０００５】
しかしながら、型紙から着用者のバスト、ウエスト、ヒップ等に対応する位置を求める方法は、既製衣服のバスト位置、ウエスト位置、ヒップ位置等を正確に知ることが困難であるため、実際のバスト位置、ウエスト位置、ヒップ位置の寸法とは異なった寸法を表示する可能性がある。したがって、正しい位置での寸法を測定し、正確な寸法表示を行うことが求められている。特に、通信販売等、試着せずに衣服を購入する場合、表示寸法によって既製衣服を選択することになるため、正確な寸法表示がなされていないと、返品の原因を引き起こす虞もある。
【０００６】
本発明は、このような事情に鑑みなされたものであり、試着することなく、衣服のみから当該衣服のバスト位置、ウエスト位置、ヒップ位置等の少なくとも一つの位置を正確に認知することができる衣服用採寸具を提供することを目的とする。
【課題を解決するための手段】
【０００７】
この目的を達成するため本発明は、衣服内に配置される内側パーツと、前記衣服の外側から当該衣服に配置される外側パーツと、を備え、前記内側パーツは、前記衣服に配置した際に、前記衣服の襟ぐりから外側に延出する第１の襟側延出部と、当該第１の襟側延出部に接続されると共に、前記衣服の肩に沿って配置される第１の肩部と、を有し、前記外側パーツは、前記衣服に配置した際に、前記第１の襟側延出部に取付けられる第２の襟側延出部と、当該第２の襟側延出部に接続されると共に、前記衣服の着用者のバスト位置、ウエスト位置、ヒップ位置の少なくとも一つに対応する位置を特定する位置特定部と、を有してなる衣服用採寸具を提供するものである。
【０００８】
この構成を備えた衣服用採寸具は、内側パーツを衣服の内側に挿入し、第１の肩部を衣服の肩に沿って配置し、外側パーツを衣服の外側から当該衣服にあてがうことで、位置特定部により、当該衣服における着用者のバスト位置、ウエスト位置、ヒップ位置の少なくとも一つに対応する位置を正確に特定することができる。したがって、試着することなく、衣服のバスト位置、ウエスト位置、ヒップ位置等の少なくとも一つの位置を正確に認知することができる。
【０００９】
また、前記外側パーツは、前記第２の襟側延出部に接続されると共に、前記衣服の肩に沿って配置される第２の肩部をさらに有し、前記位置特定部は、前記第２の肩部を介して前記第２の襟側延出部に接続される構成を有することができる。このように構成することで、第２の肩部を衣服の肩に合わせることができるため、位置特定部により、当該衣服における着用者のバスト位置、ウエスト位置、ヒップ位置の少なくとも一つに対応する位置をさらに正確に特定することができる。
【００１０】
そしてまた、前記第２の襟側延出部は、前記第１の襟側延出部に対し相対的に回動可能に取付けることができる。このように構成することで、外側パーツを内側パーツに対し回動させた後、当該内側パーツを衣服内に配置し、当該外側パーツを前記とは反対側に回動させて前記衣服の外側からあてがうことができ、前記利点に加え、前記位置の特定をさらに簡単な操作で行うことができる。
【００１１】
さらにまた、前記第２の襟側延出部は、前記第１の襟側延出部に着脱可能に取付けることもできる。このように構成することで、内側パーツを衣服内に配置した後、当該内側パーツの第１の襟側延出部に、外側パーツの第２の襟側延出部を装着することで、当該外側パーツを前記衣服の外側からあてがうことができ、前記利点に加え、前記位置の特定をさらに簡単な操作で行うことができる。また、かぶり物のセータ等、襟ぐりの小さな衣服の場合であっても、内側パーツを裾側から衣服の内部に簡単に位置させることができる。
【００１２】
また、前記位置特定部は、前記衣服の着用者のバスト位置、ウエスト位置、ヒップ位置の少なくとも一つに対応する位置に、当該衣服の幅方向に延在する指標を有することができる。このように構成することで、前記利点に加え、前記外側パーツを前記衣服の外側からあてがった後、前記指標上にメジャーや物差し等の計測器を当てるという簡単な作業だけで、衣服の着用者のバスト位置、ウエスト位置、ヒップ位置の少なくとも一つに対応する位置の幅（寸法）を測定することができる。
【００１３】
そしてまた、本発明に係る衣服用採寸具は、前記外側パーツを透過性を有する樹脂板から構成することができる。この場合、前記外側パーツを構成する樹脂板は、前記衣服の着用者のバスト位置、ウエスト位置、ヒップ位置の少なくとも一つに対応する位置に、当該衣服の幅方向に延在する指標を有することができる。このように構成することで、前記利点に加え、前記外側パーツを衣服の外側からあてがっても、外側パーツを通して衣服を見ることができ、衣服の状態を確認することができると共に、前記指標上にメジャーや物差し等の計測器を当てるという簡単な作業だけで、衣服の着用者のバスト位置、ウエスト位置、ヒップ位置の少なくとも一つに対応する位置の幅（寸法）を測定することができる。
【００１４】
さらにまた、前記内側パーツ及び外側パーツの少なくとも一方は、棒状部材を屈曲させて形成してもよい。この場合、衣服用採寸具の軽量化を向上させることができる。
【００１５】
また、前記位置特定部は、前記指標の近傍に長さを測定するための目盛を有していてもよい。このように構成することで、前記外側パーツを衣服の外側からあてがった後、メジャーや物差し等の計測器を使用することなく、衣服の着用者のバスト位置、ウエスト位置、ヒップ位置の少なくとも一つに対応する位置の幅（寸法）を測定することができる。
【発明の効果】
【００１６】
本発明に係る衣服用採寸具は、衣服を試着することなく、衣服のみから当該衣服のバスト位置、ウエスト位置、ヒップ位置等の少なくとも一つの位置を正確に認知することができる。
【図面の簡単な説明】
【００１７】
【図１】本発明の実施形態１に係る衣服用採寸具を示す正面図である。
【図２】図１に示す衣服用採寸具の内側パーツを示す正面図である。
【図３】図１に示す衣服用採寸具の外側パーツを示す正面図である。
【図４】図１に示す衣服用採寸具の側面図である。
【図５】図１に示す衣服用採寸具の使用状態を示す正面図である。
【図６】本発明の実施形態２に係る衣服用採寸具の内側パーツを示す正面図である。
【図７】本発明の実施形態２に係る衣服用採寸具の外側パーツを示す正面図である。
【図８】本発明の実施形態３に係る衣服用採寸具を示す正面図である。
【図９】図８に示す衣服用採寸具の内側パーツを示す正面図である。
【図１０】図８に示す衣服用採寸具の外側パーツを示す正面図である。
【図１１】図８に示す衣服用採寸具の側面図である。
【図１２】本発明の実施形態４に係る衣服用採寸具の内側パーツを示す正面図である。
【図１３】図１２に示す内側パーツの側面図である。
【図１４】本発明の実施形態４に係る衣服用採寸具の外側パーツを示す正面図である。
【図１５】図１４に示す外側パーツを示す背面図である。
【発明を実施するための形態】
【００１８】
次に、本発明の実施形態に係る衣服用採寸具について図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００１９】
（実施形態１）
図１は、本発明の実施形態１に係る衣服用採寸具を示す正面図、図２は、図１に示す衣服用採寸具の内側パーツを示す正面図、図３は、図１に示す衣服用採寸具の外側パーツを示す正面図、図４は、図１に示す衣服用採寸具の側面図、図５は、図１に示す衣服用採寸具の使用状態を示す正面図である。なお、前記各図では、説明を判り易くするため、各部材の厚さやサイズ、拡大・縮小率等は、実際のものとは一致させずに記載した。
【００２０】
なお、実施形態１では、衣服用採寸具を衣服に配置させた際に、衣服の襟ぐり側となる方向を「頭部方向」、裾側となる方向を「裾側方向」、この方向に直交する方向を「幅方向」として説明する。
【００２１】
実施形態１に係る衣服用採寸具１は、図１〜図５に示すように、衣服１００の内側（ユーザが着用した際に、当該ユーザの体が位置する空間）に配置される内側パーツ１０と、衣服１００の外側から衣服１００の外表面に配置される外側パーツ２０と、内側パーツ１０と外側パーツ２０を互いに回動可能に取付ける取付具５０Ａ及び５０Ｂと、を備えている。
【００２２】
内側パーツ１０は、任意の色に着色されたアクリル板から構成されており、衣服１００の内側に配設された際に、衣服１００の襟ぐり１０１から外側に（すなわち、頭部方向に）延出する第１の襟側延出部１１と、第１の襟側延出部１１の裾側に一体的に形成され、衣服１００の肩１０２に沿って配置される第１の肩部１２と、第１の肩部１２の裾側に一体的に形成され、衣服１００の裾１０３方向に延びる第１の裾側延出部１３と、を有している。
【００２３】
第１の襟側延出部１１の頭部方向両側には、互いに間隔をおいて約９０度の角度で屈曲した屈曲部１４Ａ及び１４Ｂが形成されており、これらの屈曲部１４Ａ及び１４Ｂには、取付具５０Ａ及び５０Ｂが各々挿入される孔１５Ａ及び１５Ｂが、幅方向に各々貫通形成されている。第１の肩部１２は、衣服１００の肩幅とほぼ同様の幅を有している。第１の裾側延出部１３は、第１の肩部１２の幅よりも狭い幅を有し、内側パーツ１０が衣服１００の内側に配設された際に、内側パーツ１０の裾側端が着用者のヒップ位置に対応するように長さが設定されている。
【００２４】
外側パーツ２０は、透明なアクリル板から構成されており、衣服１００の外側表面に配設された際に、衣服１００の襟ぐり１０１から外側に延出する第２の襟側延出部２１と、第２の襟側延出部２１の裾側に一体的に形成され、衣服１００の肩１０２に沿って配置される第２の肩部２２と、第２の肩部２２の裾側に一体的に形成され、衣服１００の裾１０３方向に延びる第２の裾側延出部２３と、を有している。
【００２５】
第２の襟側延出部２１は、第１の襟側延出部１１と同様の幅を有し、その頭部方向には、外側パーツ２０を内側パーツ１０に重ねた際に、内側パーツ１０の屈曲部１４Ａ及び１４Ｂの各々に隣接する凸部２４Ａ及び２４Ｂが互いに間隔をおいて形成されている。これらの凸部２４Ａ及び２４Ｂには、取付具５０Ａ及び５０Ｂが各々挿入される孔２５Ａ及び２５Ｂが、幅方向に各々貫通形成されている。そして、孔１５Ａ及び２５Ａに取付具５０Ａを挿入してカシメ留めし、孔１５Ｂ及び２５Ｂに取付具５０Ｂを挿入してカシメ留めすることで、内側パーツ１０と外側パーツ２０が、取付具５０Ａ及び５０Ｂを軸として回動可能となる。なお、実施形態１では、取付具５０Ａ及び５０Ｂとしてリベットを使用している。
【００２６】
このように、内側パーツ１０と外側パーツ２０は、内側パーツ１０の外側パーツ２０側に延出した屈曲部１４Ａ及び１４Ｂと、外側パーツ２０の頭部方向に突出する凸部２４Ａ及び２４Ｂとを取付具５０Ａ及び５０Ｂによって連結しているため、内側パーツ１０と外側パーツ２０との間には、屈曲部１４Ａ及び１４Ｂの前記延出距離分の空間８０（図４参照）が形成されることになる。この空間８０は、衣服１００の内側に内側パーツ１０を配置し、衣服１００の外側表面に外側パーツ２０を配置した際に、衣服１００の身頃が位置するための領域となる。
【００２７】
第２の肩部２２は、第１の肩部１２と同様の幅を有しており、衣服１００の外側表面に配設された際に、第１の肩部１２と重なるように形成されている。この第２の肩部２２の裾側には、第２の肩部２２と同様の幅を有する第２の裾側延出部２３が、第２の肩部２２と一体的に形成されている。
【００２８】
第２の裾側延出部２３は、外側パーツ２０が衣服１００の外側表面に配設された際に、外側パーツ２０の裾側が着用者のヒップ位置に対応するように長さが設定されている。この第２の裾側延出部２３には、外側パーツ２０が衣服１００の外側表面に配設された際に、着用者のバスト位置、ウエスト位置、ヒップ位置と各々対応する位置に、幅方向に延在する指標２４、２５、２６が形成されている。なお、指標２４及び２５は、透明なアクリル板にレーザーマーキング等により描画されたラインから構成されており、指標２６は、外側パーツ２０の裾側端から構成されている。このように、第２の裾側延出部２３は、指標２４〜２６によって、着用者のバスト位置、ウエスト位置、ヒップ位置を特定する位置特定部としての役割を果たしている。
【００２９】
なお、衣服用採寸具１は、衣服１００を着用するユーザ（着用者）の体型（サイズ）による複数の分類（例えば、Ｓ、Ｍ、Ｌ、ＬＬ、ＸＬ等や７号、９号、１１号、１３号等）や、独自のサイズ分けによる複数の分類に対応するように複数種用意することができる。例えば、サイズがＭであるユーザ向けの衣服用採寸具１の場合、ネックポイント（襟ぐり線と肩線の交わった点）からの肩位置、バスト位置、ウエスト位置、ヒップ位置を、Ｍサイズの標準身長から決定し、この位置に対応する位置に指標２４、２５、２６を形成することで、サイズがＭであるユーザ向けの衣服１００のバスト位置、ウエスト位置、ヒップ位置を正確に特定することができる。他のサイズのユーザ向けの衣服用採寸具の場合も、これに準じて指標２４、２５、２６の位置を決定すればよい。
【００３０】
次に、実施の形態１に係る衣服用採寸具１の具体的動作について説明する。なお、ここでは、バスト位置、ウエスト位置、ヒップ位置のサイズを測定する衣服１００として、図５に示す前あきニットブラウスの既製品を例にとって説明する。
【００３１】
先ず、衣服１００の前ボタンを外し、衣服１００の内側に内側パーツ１０を載置し、第１の肩部１２を衣服１００の肩１０２に沿って位置させる。この時、内側パーツ１０と外側パーツ２０は、図４に実線で示すように、重ねた状態であってもよく、図４に点線で示すように、内側パーツ１０に対し外側パーツ２０を回動させた状態であってもよい。前者の状態の場合、前ボタンは、全部外しておき、内側パーツ１０を衣服１００の内側の所定位置に配置させた後、外側パーツ２０が衣服１００の外側に位置するように回動させて、前ボタンを閉め、外側パーツ２０を前記とは反対側に回動させて、衣服１００の外側表面に位置させる。後者の場合は、衣服１００の中央部合わせ部分が、内側パーツ１０を衣服１００の内側に挿入可能な程度開くように、前ボタンを外し、内側パーツ１０のみを衣服１００の内側に挿入し、所定位置に配置させた後、前ボタンを閉め、外側パーツ２０を回動させて衣服１００の外側表面に位置させる。
【００３２】
次に、衣服１００の裾１０３を引っ張り、たるみ等を解消させた後、指標２４上にメジャーを当て、この位置の衣服１００の幅を測定することで、衣服１００のバストサイズ（実寸法）を測定する。同様に、指標２５及び２６上にメジャーを当て、衣服１００のバストサイズ（実寸法）、ウエストサイズ（実寸法）及びヒップサイズ（実寸法）を測定する。なお、測定後は、前ボタンを適宜外して内側パーツ１０を衣服１００から取外す。
【００３３】
なお、実施形態１では、外側パーツ２０に、指標２４、２５及び２６を形成した場合について説明したが、これに限らず、指標は、衣服１００の着用者のバスト位置、ウエスト位置、ヒップ位置の少なくとも一つに対応する位置に形成すればよい。また、実施形態１では、外側パーツ２０の裾側端を、ヒップ位置を示す指標２６とした場合について説明したが、これに限らず、第２の裾側延出部２３の長さを長くして、ヒップ位置を示す指標２６は、指標２４及び２５と同様のラインにより形成してもよい。
【００３４】
また、実施形態１では、外側パーツ２０に第２の肩部２２を形成した場合について説明したが、これに限らず、第２の肩部２２は所望により形成しなくてもよい。
【００３５】
そしてまた、実施形態１では、第１の襟側延出部１１と、第１の肩部１２と、第１の裾側延出部１３を一体的に形成することで、これらを接続した場合について説明したが、これに限らず、第１の襟側延出部１１と、第１の肩部１２と、第１の裾側延出部１３は、互いに接続されていれば、一体的に形成されていなくてもよい。例えば、第１の襟側延出部１１、第１の肩部１２、第１の裾側延出部１３を互いに独立したパーツで構成し、これらを互いに連結して接続してもよい。
【００３６】
そしてまた、実施形態１では、第２の襟側延出部２１と、第２の肩部２２と、第２の裾側延出部２３を一体的に形成することで、これらを接続した場合について説明したが、これに限らず、第２の襟側延出部２１と、第２の肩部２２と、第２の裾側延出部２３は、互いに接続されていれば、一体的に形成されていなくてもよい。例えば、第２の襟側延出部２１、第２の肩部２２、第２の裾側延出部２３を互いに独立したパーツで構成し、これらを互いに連結して接続してもよい。この場合、連結部分を指標の代わりにすることもできる。
【００３７】
また、互いに独立したパーツを互いに連結して接続する構成の場合、連結部分で折曲可能にすることで、衣服用採寸具１をコンパクトに収納することができる。
【００３８】
さらにまた、実施形態１では、取付具５０Ａ及び５０Ｂを軸として内側パーツ１０に対し、外側パーツ２０が相対的に回動するよう構成した場合について説明したが、これに限らず、内側パーツ１０と外側パーツ２０は、他の取付け方法により、互いに回動可能としてもよい。
【００３９】
また、実施形態１では、内側パーツ１０をアクリル板により構成した場合について説明したが、これに限らず、内側パーツ１０は、他の樹脂や紙、アルミ板等の金属板等、任意の材料により構成することができる。
【００４０】
そしてまた、実施形態１では、外側パーツ２０を透明なアクリル板により構成し、外側パーツ２０を介して衣服１００を透かして見ることができるようにした場合について説明したが、これに限らず、外側パーツ２０は、透明、半透明等、衣服１００を透かして見ることができる透過性を有していればよい。また、第２の裾側延出部２３の幅が、衣服１００の幅よりも狭い場合は、紙、アルミ板等の金属板等、透過性が低いあるいは透過性がない材料で構成してもよい。
【００４１】
（実施形態２）
次に、本発明の実施形態２について、図面を参照して説明する。なお、実施形態２では、実施形態１で説明した部材と同様の部材には同一の符号を付し、その詳細な説明は省略する。
【００４２】
図６は、本発明の実施形態２に係る衣服用採寸具の内側パーツを示す正面図、図７は、本発明の実施形態２に係る衣服用採寸具の外側パーツを示す正面図である。なお、前記各図では、説明を判り易くするため、各部材の厚さやサイズ、拡大・縮小率等は、実際のものとは一致させずに記載した。
【００４３】
実施形態２に係る衣服用採寸具２の、実施形態１に係る衣服用採寸具１と異なる主な点は、内側パーツ１１０と外側パーツ１２０とを着脱可能に取付ける点と、内側パーツ１１０が第１の裾側延出部を有していない点である。
【００４４】
内側パーツ１１０は、任意の色に着色されたアクリル板から構成されており、衣服１００の内側に配設された際に、衣服１００の襟ぐり１０１から外側に（すなわち、頭部方向に）延出する第１の襟側延出部１１１と、第１の襟側延出部１１１の裾側に一体的に形成され、衣服１００の肩１０２に沿って配置される第１の肩部１２と、を有している。
【００４５】
第１の襟側延出部１１１の頭部方向側には、幅方向に延びる肉厚部１１２が形成されており、この肉厚部１１２には、後に詳述する第２の襟側延出部１２１に形成された第２の係合部１２４Ａ〜１２４Ｃに着脱可能に各々係合する第１の係合部１１４Ａ〜１１４Ｃが形成されている。
【００４６】
外側パーツ１２０は、透明なアクリル板から構成されており、衣服１００の外側表面に配設された際に、衣服１００の襟ぐり１０１から外側に延出する第２の襟側延出部１２１と、第２の襟側延出部１２１の裾側に一体的に形成され、衣服１００の肩１０２に沿って配置される第２の肩部２２と、第２の肩部２２の裾側に一体的に形成され、衣服１００の裾１０３方向に延びる第２の裾側延出部２３と、を有している。
【００４７】
第２の襟側延出部１２１は、第１の襟側延出部１１１と同様の幅を有し、外側パーツ１２０を内側パーツ１１０に重ねた際に、肉厚部１１２と対向する位置に肉厚部１１２と同様の肉厚部１２２が形成されており、この肉厚部１２２には、内側パーツ１１０の第１の係合部１１４Ａ〜１１４Ｃと各々着脱可能に係合する第２の係合部１２４Ａ〜１２４Ｃが形成されている。
【００４８】
この構成を備えた衣服用採寸具２は、衣服１００の内側の所定位置に内側パーツ１１０を配置した後、第１の係合部１１４Ａ〜１１４Ｃと第２の係合部１２４Ａ〜１２４Ｃとを各々係合させることで、内側パーツ１１０に外側パーツ１２０を取付けて、外側パーツ１２０を衣服１００の外側表面に位置させる。その後、実施形態１と同様の方法により、衣服１００のバストサイズ（実寸法）、ウエストサイズ（実寸法）及びヒップサイズ（実寸法）を測定することができる。
【００４９】
なお、衣服用採寸具２は、肉厚部１１２及び１２２を有しているため、内側パーツ１１０と外側パーツ１２０との間には、肉厚部１１２及び１２２の高さ分の空間が形成されることになる。この空間は、衣服１００の内側に内側パーツ１１０を配置し、衣服１００の外側表面に外側パーツ１２０を配置した際に、衣服１００の身頃が位置するための領域となる。肉厚部１１２及び１２２の高さは、任意に決定することができる。
【００５０】
実施形態２では、内側パーツ１１０に肉厚部１１２を形成し、外側パーツ１２０に肉厚部１２２を形成したが、これに限らず、肉厚部は、内側パーツ１１０または外側パーツ１２０のいずれか一方のみに形成してもよい。また、肉厚部を設けずに、第１の係合部１１４Ａ〜１１４Ｃと第２の係合部１２４Ａ〜１２４Ｃの高さを調整することで、内側パーツ１１０と外側パーツ１２０との間に衣服１００の身頃が位置するための領域（空間）を形成してもよい。
【００５１】
（実施形態３）
次に、本発明の実施形態３について、図面を参照して説明する。なお、実施形態３では、実施形態１で説明した部材と同様の部材には同一の符号を付し、その詳細な説明は省略する。
【００５２】
図８は、本発明の実施形態３に係る衣服用採寸具を示す正面図、図９は、図８に示す衣服用採寸具の内側パーツを示す正面図、図１０は、図８に示す衣服用採寸具の外側パーツを示す正面図、図１１は、図８に示す衣服用採寸具の側面図である。なお、前記各図では、説明を判り易くするため、各部材の厚さやサイズ、拡大・縮小率等は、実際のものとは一致させずに記載した。
【００５３】
なお、実施形態３では、衣服用採寸具を衣服に配置させた際に、衣服の襟ぐり側となる方向を「頭部方向」、裾側となる方向を「裾側方向」、この方向に直交する方向を「幅方向」として説明する。
【００５４】
実施形態３に係る衣服用採寸具３は、図８〜図１１に示すように、衣服１００の内側に配置される内側パーツ２１０と、衣服１００の外側から衣服１００の外表面に配置される外側パーツ２２０と、内側パーツ２１０と外側パーツ２２０を互いに回動可能に取付ける取付具２５０Ａ及び２５０Ｂと、を備えている。
【００５５】
内側パーツ２１０は、１本の丸棒（棒状部材）を屈曲させることで構成されており、衣服１００の内側に配設された際に、衣服１００の襟ぐり１０１から外側に（すなわち、頭部方向に）延出する第１の襟側延出部２１１と、第１の襟側延出部２１１の裾側に連続的に形成され、衣服１００の肩１０２に沿って配置される第１の肩部２１２と、第１の肩部２１２の裾側に連続的に形成され、衣服１００の裾１０３方向に延びる第１の裾側延出部２１３と、を有している。
【００５６】
第１の襟側延出部２１１は、前記丸棒の一端から構成された襟側延出片２１１Ａと、当該丸棒の他端から構成された襟側延出片２１１Ｂとを有している。襟側延出片２１１Ａと襟側延出片２１１Ｂは、着用者の首幅とほぼ同様の距離をおいて配置されている。襟側延出片２１１Ａの頭部方向端には、約９０度の角度で屈曲した屈曲部２１４Ａが形成されており、襟側延出片２１１Ｂの頭部方向端には、屈曲部２１４Ａと同様の屈曲部２１４Ｂが形成されている。これらの屈曲部２１４Ａ及び２１４Ｂには、取付具２５０Ａ及び２５０Ｂが各々挿入される孔２１５Ａ及び２１５Ｂが貫通形成されている。
【００５７】
第１の肩部２１２は、襟側延出片２１１Ａの裾側に連続的に形成されると共に、幅方向に張り出して衣服１００の右肩に沿って配置される右肩部２１２Ａと、襟側延出片２１１Ｂの裾側に連続的に形成されると共に、幅方向に張り出して衣服１００の左肩に沿って配置される左肩部２１２Ｂと、を有している。
【００５８】
第１の裾側延出部２１３は、一端が右肩部２１２Ａの裾側に連続的に形成され、裾側まで襟側延出片２１１Ａと同一線上に延び、他端が左肩部２１２Ｂの裾側に連続的に形成され裾側まで襟側延出片２１１Ｂと同一線上に延びており、角部２１３Ａ及び２１３Ｂによって互いに近付く方向に各々約９０度屈曲されて連結された略Ｕ字状を有している。この第１の裾側延出部２１３は、第１の襟側延出部２１１と同様の幅（すなわち、第１の肩部２１２よりも狭い幅）を有している。
【００５９】
外側パーツ２０は、１本の円筒形の丸棒（棒状部材）を屈曲させることで構成されており、衣服１００の外側表面に配設された際に、衣服１００の襟ぐり１０１から外側に延出する第２の襟側延出部２２１と、第２の襟側延出部２２１の裾側に連続的に形成され、衣服１００の肩１０２に沿って配置される第２の肩部２２２と、第２の肩部２２２の裾側に連続的に形成され、衣服１００の裾１０３方向に延びる第２の裾側延出部２２３と、を有している。
【００６０】
第２の襟側延出部２２１は、外側パーツ２２０を内側パーツ２１０に重ねた際に、襟側延出片２１１Ａにほぼ重なるように形成された襟側延出片２２１Ａと、襟側延出片２１１Ｂにほぼ重なるように形成された襟側延出片２２１Ｂとを有している。襟側延出片２２１Ａと襟側延出片２２１Ｂの頭部方向端は、幅方向に延びる丸棒によって連続的に連結されている。また、襟側延出片２２１Ａと襟側延出片２２１Ｂの頭部方向端には、取付具２５０Ａ及び２５０Ｂが各々挿入される孔２２５Ａ及び２２５Ｂが形成されている。そして、孔２１５Ａ及び２２５Ａに取付具２５０Ａを挿入してカシメ留めし、孔２１５Ｂ及び２２５Ｂに取付具２５０Ｂを挿入してカシメ留めすることで、内側パーツ２１０と外側パーツ２２０が、取付具２５０Ａ及び２５０Ｂを軸として回動可能となる。なお、実施形態３では、取付具２５０Ａ及び２５０Ｂとしてリベットを使用している。
【００６１】
このように、内側パーツ２１０と外側パーツ２２０は、内側パーツ２１０の屈曲部２１４Ａ及び２１４Ｂと、外側パーツ２２０の襟側延出片２２１Ａ及び２２１Ｂの頭部方向端とを取付具２５０Ａ及び２５０Ｂによって連結しているため、内側パーツ２１０と外側パーツ２２０との間には、屈曲部２１４Ａ及び２１４Ｂの前記延出距離分の空間２８０（図１１参照）が形成されることになる。この空間２８０は、衣服１００の内側に内側パーツ２１０を配置し、衣服１００の外側表面に外側パーツ２２０を配置した際に、衣服１００の身頃が位置するための領域となる。
【００６２】
第２の肩部２２２は、第１の肩部２１２と同様の幅及び形状を有しており、衣服１００の外側表面に配設された際に、第１の肩部２１２の右肩部２１２Ａと重なるように形成された右肩部２２２Ａと、第１の肩部２１２の左肩部２１２Ｂと重なるように形成された左肩部２２２Ｂとを有している。なお、外側パーツ２２０を構成する丸棒は、右肩部２２２Ａと左肩部２２２Ｂの裾側の略中央部で互いに接触するように屈曲されている。
【００６３】
第２の裾側延出部２２３は、外側パーツ２２０が衣服１００の外側表面に配設された際に、外側パーツ２２０の裾側が着用者のヒップ位置に対応するように長さが設定されている。この第２の裾側延出部２２３には、外側パーツ２２０が衣服１００の外側表面に配設された際に、着用者のバスト位置、ウエスト位置、ヒップ位置と各々対応する位置に、幅方向に延在する指標２２４、２２５、２２６が形成されている。
【００６４】
指標２２４は、右肩部２２２Ａと左肩部２２２Ｂの裾側端の略中央部で互いに接触するように屈曲された丸棒を、前記バスト位置まで裾側方向に延ばし、このバスト位置で互いに離れるように幅方向に約９０度屈曲させて幅方向に所定長さで延ばした後、互いに近付くように１８０度屈曲させて再び略中央部で互いに接触するように屈曲させることで形成されている。
【００６５】
指標２２５は、指標２２４の裾側端の略中央部で互いに接触するように屈曲された丸棒を、前記ウエスト位置まで裾側方向に延ばし、このウエスト位置で互いに離れるように幅方向に約９０度屈曲させて幅方向に所定長さで延ばした後、互いに近付くように１８０度屈曲させて再び略中央部で互いに接触するように屈曲させることで形成されている。この指標２２５は、指標２２４に対し平行となるよう形成されている。
【００６６】
指標２２６は、指標２２４の裾側端の略中央部で互いに接触するように屈曲された丸棒を、前記ヒップ位置まで裾側方向に延ばし、このウエスト位置で互いに離れるように幅方向に約９０度屈曲させて幅方向に所定長さで延ばした後、互いに近付くように１８０度屈曲させて再び略中央部で互いに接触するように屈曲させることで形成されている。この指標２２６は、指標２２４及び２２５に対し平行となるよう形成されている。
【００６７】
このように、第２の裾側延出部２２３は、指標２２４〜２２６によって、着用者のバスト位置、ウエスト位置、ヒップ位置を特定する位置特定部としての役割を果たしている。なお、衣服用採寸具３においても、実施の形態１と同様に指標２２４、２２５、２２６の位置を決定すればよい。衣服用採寸具３は、実施の形態１に係る衣服用採寸具１と同様の方法で、衣服１００のバスト位置、ウエスト位置、ヒップ位置のサイズを測定することができる。
【００６８】
なお、実施形態３では、外側パーツ２２０に、指標２２４、２２５及び２２６を形成した場合について説明したが、これに限らず、指標は、衣服１００の着用者のバスト位置、ウエスト位置、ヒップ位置の少なくとも一つに対応する位置に形成すればよい。
【００６９】
また、実施形態３では、外側パーツ２２０に第２の肩部２２２を形成した場合について説明したが、これに限らず、第２の肩部２２２は所望により形成しなくてもよい。この場合、例えば、襟側延出片２２１Ａ及び襟側延出片２２１Ｂの裾側端の略中央部で互いに接触するように屈曲された丸棒を、前記バスト位置まで裾側方向に延ばし、指標２２４を形成すればよい。指標２２４を形成しない場合は、前記屈曲された丸棒を、前記ウエスト位置まで裾側方向に延ばし、指標２２５を形成すればよい。
【００７０】
そしてまた、実施形態３では、１本の丸棒を屈曲することで、第１の襟側延出部２１１と、第１の肩部２１２と、第１の裾側延出部２１３が接続された状態となっている場合について説明したが、これに限らず、第１の襟側延出部２１１と、第１の肩部２１２と、第１の裾側延出部２１３は、例えば、互いに独立したパーツで構成し、これらを互いに連結して接続してもよい。これは、第２の襟側延出部２２１と、第２の肩部２２２と、第２の裾側延出部２２３についても同様である。この場合、互いに独立したパーツを互いに連結して接続する構成の場合、連結部分で折曲可能にすることで、衣服用採寸具３をコンパクトに収納することができる。
【００７１】
また、実施形態３では、取付具２５０Ａ及び２５０Ｂを軸として内側パーツ２１０に対し、外側パーツ２２０が相対的に回動するよう構成した場合について説明したが、これに限らず、内側パーツ２１０と外側パーツ２２０は、他の取付け方法により、互いに回動可能としてもよい。
【００７２】
なお、前記丸棒は、例えば、アルミニウム製、屈曲可能な任意の材料で形成されたものを使用することができる。また、丸棒は、中空であってもよく、中実であってもよい。そしてまた、衣服用採寸具３を形成する材料として、樹脂を用いる場合は、衣服用採寸具３を成形加工により形成することもできる。
【００７３】
（実施形態４）
次に、本発明の実施形態４について、図面を参照して説明する。図１２は、実施形態４に係る衣服用採寸具の内側パーツを示す正面図、図１３は、図１２に示す内側パーツの側面図、図１４は、本発明の実施形態４に係る衣服用採寸具の外側パーツを示す正面図、図１５は、図１４に示す外側パーツを示す背面図である。なお、前記各図では、説明を判り易くするため、各部材の厚さやサイズ、拡大・縮小率等は、実際のものとは一致させずに記載した。
【００７４】
なお、実施形態１では、衣服用採寸具を衣服に配置させた際に、衣服の襟ぐり側となる方向を「頭部方向」、裾側となる方向を「裾側方向」、この方向に直交する方向を「幅方向」として説明する。
【００７５】
実施形態４に係る衣服用採寸具は、図１２〜図１５に示すように、衣服１００の内側に配置される内側パーツ３１０と、衣服１００の外側から衣服１００の外表面に配置される外側パーツ３２０と、を備えている。
【００７６】
内側パーツ３１０は、１本の丸棒を屈曲させることで構成されており、衣服１００の内側に配設された際に、衣服１００の襟ぐり１０１から外側に（すなわち、頭部方向に）延出する第１の襟側延出部３１１と、第１の襟側延出部３１１の裾側に連続的に形成され、衣服１００の肩１０２に沿って配置される第１の肩部３１２と、を有している。
【００７７】
第１の襟側延出部３１１は、互いに離間して配置された襟側延出片３１１Ａ及び３１１Ｂと、襟側延出片３１１Ａ及び３１１Ｂの頭部側先端に連続的に配置されて両者を連結する襟側連結部３１１Ｃと、襟側延出片３１１Ａと襟側延出片３１１Ｂとの間に配設された固定用板３１５と、を有している。固定用板３１５の表面には、後に詳述する第２の襟側延出部３２１に貫通形成された孔３２４Ａ〜３２４Ｃに挿脱可能に各々挿入される円筒状の突起３１４Ａ〜３１４Ｃが立設されている。これらの突起３１４Ａ〜３１４Ｃは、図示しないネジにより、固定用板３１５の表面に固定されている。
【００７８】
第１の肩部３１２は、襟側延出片３１１Ａの裾側に連続的に形成されると共に、幅方向に張り出して衣服１００の右肩に沿って配置される右肩部３１２Ａと、襟側延出片３１１Ｂの裾側に連続的に形成されると共に、幅方向に張り出して衣服１００の左肩に沿って配置される左肩部３１２Ｂと、を有している。なお、内側パーツ３１０を形成する丸棒は、右肩部３１２Ａと左肩部３１２Ｂの裾側の略中央部で互いに接触するように屈曲されている。
【００７９】
外側パーツ２０は、透明なアクリル板から構成されており、衣服１００の外側表面に配設された際に、衣服１００の襟ぐり１０１から外側に延出する第２の襟側延出部３２１と、第２の襟側延出部３２１の裾側に一体的に形成され、衣服１００の肩１０２に沿って配置される第２の肩部３２２と、第２の肩部３２２の裾側に一体的に形成され、衣服１００の裾１０３方向に延びる第２の裾側延出部３２３と、を有している。
【００８０】
第２の襟側延出部３２１は、第１の襟側延出部３１１と同様の幅及び長さを有し、その表面には、外側パーツ３２０と内側パーツ３１０を重ねた際に、内側パーツ１０の突起３１４Ａ〜３１４Ｃが挿脱可能に各々挿入される孔３２４Ａ〜３２４Ｃが貫通形成されている。
【００８１】
第２の肩部３２２は、第１の肩部３１２と同様の幅を有しており、衣服１００の外側表面に配設された際に、第１の肩部３１２と重なるように形成されている。この第２の肩部３２２の裾側には、第２の肩部３２２と同様の幅を有する第２の裾側延出部２２３が、第２の肩部２２と一体的に形成されている。
【００８２】
第２の裾側延出部３２３は、外側パーツ３２０が衣服１００の外側表面に配設された際に、外側パーツ３２０の裾側が着用者のヒップ位置に対応するように長さが設定されている。この第２の裾側延出部３２３には、外側パーツ３２０が衣服１００の外側表面に配設された際に、着用者のバスト位置、ウエスト位置、ヒップ位置と各々対応する位置に、幅方向に延在する指標３２４、３２５、３２６が形成されている。指標３２４及び３２５は、外側パーツ３２０の正面の所定位置に配置された黒テープからなるラインと、外側パーツ３２０の背面の、前記黒テープが配置された位置に配置された白テープからなるラインと、から構成されている。白テープは、黒テープよりも幅が広く、外側パーツ３２０を正面から見た際には、黒テープの外周に白テープが見えるようになっている。また、指標３２６は、外側パーツ３２０の裾側端から構成されている。
【００８３】
なお、外側パーツ３２０は、第２の襟側延出部３２１と第２の肩部３２２との境界と、第２の肩部３２２と第２の裾側延出部３２３との境界に、指標３２４〜３２６と平行な指標３２７及び３２８が各々形成されている。なお、指標３２７は、衣服１００の首幅の位置を示し、指標３２８は、衣服１００の肩幅の位置を示しており、指標３２４〜３２６と同様の白テープと黒テープにより構成されている。また、外側パーツ３２０の幅方向中央部には、頭部側から裾側に延びると共に、指標３２４〜３２８と直交する指標３２９が形成されている。この指標３２９は、衣服の着丈を測る際の指標とすることができ、指標３２４〜３２８と同様の白テープと黒テープにより構成されている。
【００８４】
この構成を備えた衣服用採寸具は、衣服１００の内側の所定位置に内側パーツ３１０を配置した後、突起３１４Ａ〜３１４Ｃを、外側パーツ３２０の孔３１４Ａ〜３１４Ｃに各々挿入させることで、内側パーツ３１０に外側パーツ３２０を取付けて、外側パーツ１２０を衣服１００の外側表面に位置させる。その後、実施形態１〜３と同様の方法により、衣服１００のバルトサイズ（実寸法）、ウエストサイズ（実寸法）及びヒップサイズ（実寸法）を測定することができる。
【００８５】
なお、実施形態４では、指標３２４〜３２９を白テープと黒テープにより構成した場合について説明したが、これに限らず、テープの色は任意に決定することができる。また、指標３２４〜３２９は、他の方法で形成したマーク等により構成してもよい。
【００８６】
（その他）
次に、実施形態１〜４に係る衣服用採寸具（以下、「本採寸具」と総称する。）の更なる利点、具体的には以下の採寸に活用できるという利点について説明する。
【００８７】
１．着丈の採寸（首元を始点とする採寸）
本採寸具を使用すると必然的に衣服の首から肩へと繋がる点、すなわち首元が固定されることになる。これは、例えば第１実施形態に係る図２及び５に示すように、内側パーツ１０における第１の襟側延出部１１から第１の肩部１２へと繋がる部分が、内側パーツ１０における幅方向に一対の屈曲点４００Ａ、４００Ｂとして構成されているからである。なお、第２実施形態に係る図６、第３実施形態に係る図９及び第４実施形態に係る図１２にも、屈曲点４００Ａ、４００Ｂを図示した。
【００８８】
採寸者は、衣服１００をセットした本採寸具において、屈曲点４００Ａ又は屈曲点４００Ｂに対応する位置にメジャーなどの計測器を当て、この位置を始点として袖側方向の長さを測れば、衣服１００の着丈を採寸することができる。この採寸の際に、服１００の首元が屈曲点４００Ａ、４００Ｂで固定されることになる。これにより、本採寸具によれば、衣服１００の襟ぐりのデザインに関わらず、着丈の採寸がデザイン毎にぶれることなく可能となる。
【００８９】
２．袖丈及び袖幅の採寸（肩先を始点とする採寸）
本採寸具を使用すると肩先の位置が固定されることになる。これは、例えば第１実施形態に係る図２及び５に示すように、内側パーツ１０の第１の肩部１２の肩先部分が、第１の肩部１２における幅方向に一対の屈曲点５００Ａ、５００Ｂとして構成されているからである。なお、第２実施形態に係る図６、第３実施形態に係る図９及び第４実施形態に係る図１２にも、屈曲点５００Ａ、５００Ｂを図示した。
【００９０】
採寸者は、衣服１００をセットした本採寸具において、屈曲点５００Ａ又は屈曲点５００Ｂに対応する位置にメジャーなどの計測器を当て、この位置を始点として衣服１００の袖の長さを測れば、衣服１００の袖丈を採寸することができる。この採寸の際に、衣服１００の肩先の位置が屈曲点５００Ａ、５００Ｂで固定されることになる。これにより、本採寸具によれば、衣服１００の肩から袖にかけてのデザインに関わらず、袖丈の採寸がデザインによってぶれることなく可能となる。
【００９１】
加えて、上述のとおりバスト位置、ウエスト位置、ヒップ位置等が決められているように、二の腕の測定位置を決めることも可能であり、そのようにした場合には、デザインによってぶれることなく、衣服の袖の二の腕の箇所の幅（袖幅）を採寸することも可能となる。
【００９２】
なお、着丈、袖丈、袖幅の採寸に使用する計測器は、本採寸具に固定してもよいし、着脱可能に取り付けてもよい。例えば、袖丈及び袖幅の採寸に使用する計測器としては、外側パーツ２０の肩先に固定可能なアタッチメント（棒状又はひも状の長尺の定規）を使用することができる。
【符号の説明】
【００９３】
１〜３…衣服用採寸具、１０、１１０、２１０、３１０…内側パーツ、１１、１１１、２１１、３１１…第１の襟側延出部、１２、１１２、２１２、３１２…第１の肩部、１３、１１３、２１３、３１３…第１の裾側延出部、２０、１２０、２２、３２０…外側パーツ、２１、１２１、２２１、３２１…第２の襟側延出部、２２、１２２、２２２、３２２…第２の肩部、２３、１２３、２２３、３２３…第２の裾側延出部、２４〜２６、２２４〜２２６、３２４〜３２９…指標、１００…衣服
【図１】
0005159923.tif 000002
【図２】
0005159923.tif 000003
【図３】
0005159923.tif 000004
【図４】
0005159923.tif 000005
【図５】
0005159923.tif 000006
【図６】
0005159923.tif 000007
【図７】
0005159923.tif 000008
【図８】
0005159923.tif 000009
【図９】
0005159923.tif 000010
【図１０】
0005159923.tif 000011
【図１１】
0005159923.tif 000012
【図１２】
0005159923.tif 000013
【図１３】
0005159923.tif 000014
【図１４】
0005159923.tif 000015
【図１５】
0005159923.tif 000016